(57)【要約】【課題】    複数のラジオ動作環境でワイヤレスネットワークを動作させるための方法が開示される。第１のパラメータ値のセットは、２つ以上のパラメータ値のセットのライブラリから選択される。【解決手段】  パラメータ値のセットはそれぞれ、１つ又は複数の通信関連パラメータそれぞれに関する値を含む。第１のパラメータ値のセットは、第１の標的ラジオ動作環境に適している。第１のパラメータ値のセットを選択するステップのアクションは、第１の標的ラジオ動作環境において動作することになる、１つ又は複数のインフラストラクチャラジオのうちの第１のセットに関して実施される。１つ又は複数のインフラストラクチャラジオのうちの第１のセットが第１のパラメータ値のセットを用いて始動して、ユーザデバイスと無線通信するよう、第１のパラメータ値のセットが、１つ又は複数のインフラストラクチャラジオのうちの第１のセットに適用される。【選択図】図１Ａ
2020025294.tif 000002
【特許請求の範囲】
【請求項１】
１つ以上のプロセッサと、
前記１つ以上のプロセッサによって実行可能なプログラム命令が格納された１つ以上のメモリ素子と、を備える装置であって、前記プログラム命令は、
第１のパラメータ値のセットを無線ネットワークの放送トランスミッタから受信することであって、前記第１のパラメータ値のセットは、複数のパラメータ値のセットから選択され、前記第１のパラメータ値のセットは、第１の標的ラジオ動作環境に適しており、前記第１の標的ラジオ環境は、ユーザデバイスの移動性の第１のレベル、または、無線送信の第１の標的範囲、のうちの１つ以上に対応する、前記受信することと、
前記グループ内の各パラメータ値のセットは、２つ以上のパラメータのそれぞれについて、対応する値を含み、前記２つ以上のパラメータは、それに基づいて前記装置がサブキャリア間隔を決定するように構成される１つ以上のパラメータと、サイクリックプレフィックスサイズを示す１つ以上のパラメータとを含み、
前記第１のパラメータ値のセットを使用して前記放送トランスミッタから無線放送送信を受信するように前記装置を再構成することと、
前記放送トランスミッタから前記無線放送送信を受信し、前記第１のパラメータの値セットを使用して前記放送トランスミッタから前記受信した無線放送送信を復号することと、
前記放送トランスミッタから、複数のパラメータ値のセットのグループから選択された第２のパラメータ値のセットを受信することであって、前記第２のパラメータ値のセットは、第２の標的ラジオ動作環境に適しており、前記第２の標的ラジオ動作環境は、ユーザデバイスの移動性の異なる第２のレベル、または、無線送信の異なる第２の標的範囲、のうちの１つ以上に対応する、前記受信することと、
前記第２のパラメータ値のセットを使用して、前記放送トランスミッタから無線放送送信を受信するように前記装置を再構成することと、
前記放送トランスミッタから無線放送送信を受信し、前記第２のパラメータ値のセットを使用して前記放送トランスミッタから前記受信した無線放送送信を復号することと、
を行うために実行され、
前記２つ以上のパラメータは、サンプリングレートと周波数変換サイズの両方を指定し、前記第１のパラメータ値のセットは、第１の周波数変換サイズを指定し、前記第２のパラメータ値のセットは、より小さい第２の周波数変換サイズを指定する、
装置。
【請求項２】
前記第１のパラメータ値のセットを示すシステム情報は、ユーザデータで時間多重化されている、請求項１に記載の装置。
【請求項３】
前記システム情報は、前記第１のパラメータ値のセットに加えて他の制御情報を含む、請求項２に記載の装置。
【請求項４】
前記第１のパラメータ値のセットを示すシステム情報は、サポートされる信号帯域幅のセットの中で最も狭いシグナル帯域幅で送信される、請求項１に記載の装置。
【請求項５】
前記第１のパラメータ値のセットは、シグナル帯域幅を指定し、前記第１のパラメータ値のセットを示すシステム情報は、指定されたシグナル帯域幅よりも狭いシグナル帯域幅を使用して送信される、請求項１に記載の装置。
【請求項６】
前記第１のパラメータ値のセットを示すシステム情報は、ユーザデータに使用される第２の変調方式とは異なる第１の変調方式を使用して送信される、請求項１に記載の装置。
【請求項７】
前記装置は、さらに、
受信された第３のパラメータ値セットを使用して、異なる第２の放送トランスミッタから無線放送送信を受信するように前記装置を再構成する、請求項１に記載の装置
【請求項８】
前記第２の放送トランスミッタは、前記放送トランスミッタとは異なる無線ネットワークに含まれる、請求項７に記載の装置。
【請求項９】
前記第２の標的ラジオ動作環境は、前記第１の標的ラジオ動作環境に関してユーザデバイスの移動性の異なる第２のレベルと、前記第１の標的ラジオ動作環境に関して異なる第２の無線送信範囲を有する、請求項１に記載の装置。
【請求項１０】
前記第１の標的ラジオ動作環境は、移動性の第１のレベルに対応し、前記第２の標的ラジオ動作環境は、移動性の異なる第２のレベルに対応する、請求項１に記載の装置。
【請求項１１】
前記第１の標的ラジオ動作環境は、無線送信の第１の標的範囲に対応し、前記第２の標的ラジオ動作環境は、無線送信の異なる第２の標的範囲に対応する、請求項１に記載の装置。
【請求項１２】
コンピューティングデバイスによって実行可能な命令が格納されたコンピュータ読み取り可能媒体であって、前記命令は、
無線ネットワークの放送トランスミッタから設定された第１のパラメータ値のセットとを受信することであって、前記第１のパラメータ値のセットは、複数のパラメータ値のセットのグループから選択され、前記第１のパラメータ値のセットは、第１の標的ラジオ動作環境に適しており、前記第１の標的ラジオ動作環境は、ユーザデバイスの移動性の第１のレベル、または、無線送信の第１の標的範囲、のうちの１つ以上に対応する、前記受信することと、
前記グループ内の各パラメータ値のセットは、２つ以上のパラメータのそれぞれについて、対応する値を含み、前記２つ以上のパラメータは、それに基づいて前記装置がサブキャリア間隔を決定するように構成される１つ以上のパラメータと、サイクリックプレフィックスサイズを示す１つ以上のパラメータとを含み、
前記第１のパラメータ値のセットを使用して前記放送トランスミッタから無線放送送信を受信するように前記コンピューティングデバイスを再構成することと、
前記放送トランスミッタから前記無線放送送信を受信し、前記第１のパラメータの値セットを使用して前記放送トランスミッタから前記受信した無線放送送信を復号することと、
前記放送トランスミッタから前記無線放送送信を受信し、前記第１のパラメータの値セットを使用して前記放送トランスミッタから前記受信した無線放送送信を復号することと、
前記放送トランスミッタから、複数のパラメータ値のセットのグループから選択された第２のパラメータ値のセットを受信することであって、前記第２のパラメータ値のセットは、第２の標的ラジオ動作環境に適しており、前記第２の標的ラジオ動作環境は、ユーザデバイスの移動性の異なる第２のレベル、または、無線送信の異なる第２の標的範囲、のうちの１つ以上に対応する、前記受信することと、
前記第２のパラメータ値のセットを使用して、前記放送トランスミッタから無線放送送信を受信するように前記装置を再構成することと、
前記放送トランスミッタから無線放送送信を受信し、前記第２のパラメータ値のセットを使用して前記放送トランスミッタから前記受信した無線放送送信を復号することと、
ことを含む動作を行うために、前記コンピューティングデバイスによって実行され、
前記２つ以上のパラメータは、サンプリングレートと周波数変換サイズの両方を指定し、前記第１のパラメータ値のセットは、第１の周波数変換サイズを指定し、前記第２のパラメータ値のセットは、より小さい第２の周波数変換サイズを指定する、
コンピュータ読み取り可能媒体。
【請求項１３】
前記第１のパラメータ値のセットを示すシステム情報は、ユーザデータで時間多重化されている、請求項１２に記載のコンピュータ読み取り可能媒体。
【請求項１４】
前記システム情報は、前記第１のパラメータ値のセットに加えて他の制御情報を含む、請求項１３に記載のコンピュータ読み取り可能媒体。
【請求項１５】
前記第１のパラメータ値のセットは、信号帯域幅を指定し、前記第１のパラメータ値のセットを示すシステム情報は、指定された信号帯域幅よりも狭い信号帯域幅を使用して送信される、請求項１２に記載のコンピュータ読み取り可能媒体。
【請求項１６】
前記第１のパラメータ値のセットを示すシステム情報は、ユーザデータに使用される第２の変調方式とは異なる第１の変調方式を使用して送信される、請求項１２に記載のコンピュータ読み取り可能媒体。
【請求項１７】
前記動作は、さらに、
受信された第３のパラメータ値セットを使用して、異なる第２の放送トランスミッタから無線放送送信を受信するように前記コンピューティングデバイスを再構成する、請求項１２に記載のコンピュータ読み取り可能媒体。
【請求項１８】
前記第２の放送トランスミッタは、前記放送トランスミッタとは異なる無線ネットワークに含まれる、請求項１７に記載のコンピュータ読み取り可能媒体。
【請求項１９】
前記第１の標的ラジオ動作環境は、第１のレベルの移動性に対応し、前記第２の標的ラジオ動作環境は、第２の異なるレベルの移動性に対応する、請求項１７に記載のコンピュータ読み取り可能媒体。
【請求項２０】
前記第１の標的ラジオ動作環境は、無線送信の第１の標的範囲に対応し、前記第２の標的ラジオ動作環境は、無線送信の第２の異なる標的範囲に対応する、請求項１２に記載のコンピュータ読み取り可能媒体。
【発明の詳細な説明】
【技術分野】
【０００１】
本発明は、無線通信の分野に関し、より詳細には、送信された波形を異なるラジオ動作
環境に関して適合させる機構に関する。
【背景技術】
【０００２】
従来の無線ラジオの標準、特に放送ラジオの標準では、通信パラメータのセットが、所
定のラジオ動作環境における動作に関して予め決定され、これは、ラジオ動作環境が広範
囲に亘り変化する場合、最適でない性能をもたらす。例えば、主に移動レシーバに対して
動作する放送トランスミッタは、固定レシーバに対して動作するものとは異なる動作の課
題に直面する。別の例として、密度の高い都市部設定で動作する放送トランスミッタは、
地方環境において動作するものとは異なる課題に直面する。更に別の例として、無線ブロ
ードバンドネットワーク（例えばＬＴＥ）の低いレイテンシ及び比較的小さい放送範囲要
件に関して最適化されたＯＦＤＭ波形パラメータは、放送範囲要件が無線ブロードバンド
ネットワークのものより大幅に大きい可能性のある放送において使用されるＯＦＤＭに関
して最適ではない。従って、異なる波形パラメータのセットを異なる動作環境に関して使
用できるようになるように、ラジオ波形を適合できる機構に対するニーズが存在する。
【発明の概要】
【課題を解決するための手段】
【０００３】
ある一連の実施形態では、複数のラジオ動作環境において無線ネットワークを動作させ
る方法は、以下の動作を含んでよい。
【０００４】
上記方法は、２つ以上のパラメータ値のセットのライブラリから第１のパラメータ値の
セットを選択するステップを含んでよく、ここで上記パラメータ値のセットは１つ又は複
数の通信関連パラメータそれぞれに関する値を含み、第１のパラメータ値のセットは第１
の標的ラジオ動作環境に適しており、上記第１のパラメータ値のセットを選択するステッ
プは、第１の標的ラジオ動作環境において動作することになる、１つ又は複数のインフラ
ストラクチャラジオのうちの第１のセットに関して実施される。
【０００５】
いくつかの実施形態では、２つ以上のパラメータ値のセットのうちの少なくとも１つは
、移動体デバイス（例えばハンドセット、タブレット、車内のラジオ等）と通信するため
に最適化されてよい。例えばこのようなパラメータ値のセットは、固定デバイスに使用さ
れるものより大きな値のサブキャリア間隔を含んでよい。更に、ライブラリ中の２つ以上
のパラメータ値のセットのうちの少なくとも１つは、固定デバイス（家庭内の無線アクセ
スラジオ、テレビジョン等）と通信するために最適化されてよい。用語「通信（ｃｏｍｍ
ｕｎｉｃａｔｉｏｎ）」の意味の範囲は、ユニキャスト（例えばＬＥＴ、ＷｉＦｉ等の場
合）、マルチキャスト、ブロードキャスト、及び上記のいずれの組み合わせを含むものと
して、広範に解釈されるべきである。
【０００６】
上記方法は、１つ又は複数のインフラストラクチャラジオのうちの第１のセットが第１
のパラメータ値のセットを用いて始動して、ユーザデバイスと無線通信するよう、第１の
パラメータ値のセットを１つ又は複数のインフラストラクチャラジオのうちの第１のセッ
トに適用するステップを含んでよい。
【０００７】
上記選択動作及び上記適用動作は、無線ネットワークの構成コントローラによって実施
されてよい。
【０００８】
いくつかの実施形態では、上記方法はまた、１つ又は複数の通信関連パラメータそれぞ
れに関して可能性のある値のリストを生成するステップを含んでよい。これらの実施形態
では、第１のパラメータ値のセットを選択するステップのアクションは、選択された値の
組み合わせが以下の制約のうちの１つ又は複数を満たすように、１つ又は複数のリストそ
れぞれから値を選択するステップを含む：上記組み合わせが、スーパフレームあたり整数
個のＯＦＤＭシンボルをもたらす；上記組み合わせが、移動性に対するオペレータ指定の
制約を満たす；上記組み合わせが、範囲に対するオペレータ指定の制約を満たす。選択さ
れた値の上記組み合わせは、上記１つ又は複数の制約を受けるスループットを最大化でき
る。
【０００９】
ある一連の実施形態では、無線ネットワークにおけるインフラストラクチャラジオは以
下のように構成してよい。
【００１０】
インフラストラクチャラジオは、無線ネットワークの構成コントローラから第１の情報
を受信するよう構成された回路構成を含んでよく、ここで第１の情報は２つ以上のパラメ
ータ値のセットのライブラリから第１のパラメータ値のセットを識別し、パラメータ値の
セットそれぞれは、１つ又は複数の通信関連パラメータそれぞれに関する値を含み、第１
のパラメータ値のセットは、第１の標的ラジオ動作環境に適している。
【００１１】
上記回路構成は更に：第１のパラメータ値のセットを用いて、ユーザデバイスと無線通
信するようにインフラストラクチャラジオを再構成するよう；及びユーザデバイスが、第
１のパラメータ値のセットを用いて、インフラストラクチャラジオと無線通信するように
自身を再構成できるよう、第１のパラメータ値のセット又は第１のパラメータ値のセット
を識別する第１の情報をユーザデバイスに送信するよう、構成してよい。
【００１２】
ある一連の実施形態では、無線ネットワークとの通信用のユーザデバイスは、以下の様
に構成してよい。
【００１３】
ユーザデバイスは、無線ネットワークのインフラストラクチャラジオから第１の情報を
受信するよう構成された回路構成を含んでよく、ここで第１の情報は２つ以上のパラメー
タ値のセットのライブラリから第１のパラメータ値のセットを識別し、パラメータ値のセ
ットそれぞれは、１つ又は複数の通信関連パラメータそれぞれに関する値を含み、第１の
パラメータ値のセットは、第１の標的ラジオ動作環境に適している。
【００１４】
上記回路構成は更に、第１のパラメータ値のセットを用いて、インフラストラクチャラ
ジオと無線通信するようにユーザデバイスを再構成するよう構成してよい。
【００１５】
ある一連の実施形態では、無線ネットワークに関する２つ以上のパラメータ値のセット
のライブラリを設計するための、コンピュータ実装型の方法は、以下のように実施してよ
い。パラメータ値のセットはそれぞれ、１つ又は複数の通信関連パラメータそれぞれに関
する値を含む。
【００１６】
上記方法は、１つ又は複数の基準に基づいて、可能性のあるパラメータ値のセットの大
域空間から、ライブラリを定義する２つ以上のパラメータ値のセットを選択するステップ
を含んでよい。１つ又は複数の通信関連パラメータは、以下の１つ又は複数を含む：スー
パフレームあたりのシンボルの個数；チャネル帯域幅；占有される帯域幅；サンプリング
レート；リソースブロックの個数；サブフレーム持続時間；フレーム持続時間；スーパフ
レーム持続時間；シンボル周期あたりのリソースブロックあたりのサブキャリアの個数；
公称サブキャリア間隔；公称リソースブロック帯域幅；ＦＦＴサイズ；サイクリックプレ
フィックスサイズ又はサイクリックプレフィックスパーセンテージ；標的範囲；キャリア
中心周波数；ユーザ移動性要件；変調方式；コーディングレート；シグナリングオーバヘ
ッド。
【００１７】
ある一連の実施形態では、無線ネットワークに関する２つ以上のパラメータ値のセット
のライブラリを設計するための、コンピュータ実装型の方法は、以下のように実施してよ
い。パラメータ値のセットはそれぞれ、１つ又は複数の通信関連パラメータそれぞれに関
する値を含んでよい。
【００１８】
上記方法は、１つ又は複数の基準に基づいて、可能性のあるパラメータ値のセットの大
域空間から、ライブラリを定義する２つ以上のパラメータ値のセットを選択するステップ
を含んでよい。１つ又は複数の通信関連パラメータは、以下の１つ又は複数を含んでよい
：スーパフレームあたりのシンボルの個数；チャネル帯域幅；占有される帯域幅；サンプ
リングレート；リソースブロックの個数；サブフレーム持続時間；フレーム持続時間；ス
ーパフレーム持続時間；シンボル周期あたりのリソースブロックあたりのサブキャリアの
個数；公称サブキャリア間隔；公称リソースブロック帯域幅；ＦＦＴサイズ；サイクリッ
クプレフィックスサイズ又はサイクリックプレフィックスパーセンテージ；標的範囲；キ
ャリア中心周波数；ユーザ移動性要件；変調方式；コーディングレート；シグナリングオ
ーバヘッド。
【００１９】
上記方法はまた、１つ又は複数のインフラストラクチャラジオのセットが特定のパラメ
ータ値のセットを用いて始動して、ユーザデバイスと無線通信するよう、第１のパラメー
タ値のセットを１つ又は複数のインフラストラクチャラジオのセットに適用するステップ
を含んでよい。
【図面の簡単な説明】
【００２０】
【図１Ａ】図１Ａは、複数のベースステーションを含む無線ネットワークの一実施形態を示す。
【図１Ｂ】図１Ｂは、ＯＦＤＭデータポンプの一実施形態を示す。
【図２】図２（即ち表１）は、インフラストラクチャラジオのセットに関する動作制約のセットを満たすよう、適切なパラメータ値を選択するために使用される、制御盤の一実施形態を示す。
【図３】図３（即ち表２）は、標的ラジオ動作環境において通信するために１つ又は複数のラジオのシステムをセットアップするのに使用される、システム構成ワークシートの一実施形態を示す。
【図４】図４（即ち表３）は、オペレータが範囲及び移動性要件を指定できるようにする、操作盤の一実施形態を示す。
【図５】図５（即ち表４）は、システム構成ワークシートの一実施形態を示し、ＦＦＴサイズとサイクリックプレフィックスパーセンテージとの様々な組み合わせに関する放送範囲（セル範囲）が表示されている。
【図６】図６（即ち表５）は、システム構成ワークシートの一実施形態を示し、シンボル区間ＴSYMが、ＦＦＴサイズとサイクリックプレフィックスパーセンテージとの様々な組み合わせに関して表示さている。
【図７】図７は、複数のラジオ動作環境のうちの１つに関して無線ネットワークを構成するための方法の一実施形態を示す。
【図８】図８は、無線ネットワーク中のインフラストラクチャラジオの一実施形態を示す。
【図９】図９は、無線ネットワークと通信するためのユーザデバイスの一実施形態を示す。
【図１０】図１０は、ある無線ネットワークに関して２つ以上のパラメータ値のセットのライブラリを設計するための方法の一実施形態を示す。
【発明を実施するための形態】
【００２１】
本開示は様々な修正及び代替形態を許容するものであるが、その具体的な実施形態を例
として図面に示し、また本明細書で詳細に説明する。しかしながら、上記具体的実施形態
の図及び詳細な説明は、図示されている特定の形態に開示を限定することを意図したもの
ではなく、反対に、添付の請求項によって定義されるような本開示の精神及び範囲内にあ
る全ての修正例、均等物及び代替例を包含することを意図したものであることを理解され
たい。
【００２２】
参照による援用
以下の特許出願は、全体が完全に本明細書中に記載されているかのように、参照により
本明細書に援用される：
Ｔｏｍｍｙ  Ｋ．  Ｅｎｇ及びＫｅｖｉｎ  Ａ．  Ｓｈｅｌｂｙによって発明された、
２０１３年８月１９日出願の米国仮特許出願第６１／８６７４３４号「Ｐａｒａｍｅｔｅ
ｒｉｚｅｄ  Ｒａｄｉｏ  Ｗａｖｅｆｏｒｍ  ｆｏｒ  Ｏｐｅｒａｔｉｎｇ  ｉｎ  Ｍｕ
ｌｔｉｐｌｅ  Ｗｉｒｅｌｅｓｓ  Ｅｎｖｉｒｏｎｍｅｎｔｓ」；
Ｄｏｅｒｒらによって発明された、２００８年７月３日出願の米国特許出願第１２／１
６７７０８号（米国特許第８１５１３０５号、代理人整理番号５８６０‐００６０３）「
ＭＯＢＩＬＥ  ＴＥＬＥＶＩＳＩＯＮ  ＢＲＯＡＤＣＡＳＴ  ＳＹＳＴＥＭ」（これは、
通信システムを動的に修正できるようにする機構を開示している）；及び
ＭｃＧｉｎｎらによって発明された、２００９年６月５日出願の米国特許出願第１２／
４７９４２３号（米国特許第８４８９７６２号、代理人整理番号５８６０‐０１１０１）
「ＴＲＡＮＳＭＩＴＴＩＮＧ  ＡＮＤ  ＲＥＣＥＩＶＩＮＧ  ＣＯＮＴＲＯＬ  ＩＮＦＯ
ＲＭＡＴＩＯＮ  ＦＯＲ  ＵＳＥ  ＷＩＴＨ  ＭＵＬＴＩＭＥＤＩＡ  ＳＴＲＥＡＭＳ」
（これは、受信デバイスがシステムパラメータの追加を管理できるようにするツリー型構
造、又はプロトコルスタックの複数の層に亘って適用される将来のプロトコルバージョン
における方法を開示している）。
【００２３】
本特許において使用される用語
メモリ媒体‐いずれの様々な種類のメモリデバイス又はストレージデバイス。用語「メ
モリ媒体」は、インストール媒体（例えばＣＤ−ＲＯＭ、フロッピーディスク若しくはテ
ープデバイス）；コンピュータシステムメモリ若しくはＤＲＡＭ、ＤＤＲ、ＲＡＭ、ＳＲ
ＡＭ、ＥＤＯ  ＲＡＭ、ラムバスＲＡＭ等のランダムアクセスメモリ；磁気メディア（例
えばハードドライブ）、光学ストレージ若しくはＲＯＭ、ＥＰＲＯＭ、ＦＬＡＳＨ等の不
揮発性メモリ；レジスタ又は他の同様のタイプのメモリ素子等を含むことを意図している
。メモリ媒体はその他のタイプのメモリ又はその組み合わせも同様に含んでよい。更に、
メモリ媒体は、プログラムを実行する第１のコンピュータシステム内に配置してよく、又
はインターネット等のネットワークを介して第１のコンピュータシステムに接続された第
２の異なるコンピュータシステム内に配置してよい。後者の場合、第２のコンピュータシ
ステムは第１のコンピュータシステムに、実行のためのプログラム命令を提供してよい。
用語「メモリ媒体」は、異なる位置、例えばネットワークを介して接続された異なるコン
ピュータシステム内にあってよい２つ以上のメモリ媒体を含んでよい。メモリ媒体は、１
つ又は複数のプロセッサが実行できる、（例えばコンピュータプログラムとして実現され
る）プログラム命令を記憶してよい。
【００２４】
コンピュータシステム‐用語「コンピュータシステム」は、パーソナルコンピュータシ
ステム（ＰＣ）、メインフレームコンピュータシステム、ワークステーション、ネットワ
ーク家電、インターネット家電、パーソナルデジタルアシスタント（ＰＤＡ）、テレビジ
ョンシステム、グリッドコンピューティングシステム若しくはその他のデバイス又はデバ
イスの組み合わせを含む、様々なタイプの計算又は処理システムのいずれかを指す。一般
に、用語「コンピュータシステム」は、メモリ媒体からの命令を実行する少なくとも１つ
のプロセッサを有するいずれのデバイス（又は複数のデバイスの組み合わせ）を包含する
ものとして広く定義できる。
【００２５】
ユーザ機器（ＵＥ）（又は「ＵＥデバイス」）‐移動可能又は携帯可能であり、無線通
信を実施する、いずれの様々なタイプのコンピュータシステムデバイス。ＵＥデバイスの
例としては、携帯電話又はスマートフォン（例えばｉＰｈｏｎｅ（商標）、Ａｎｄｒｏｉ
ｄ（商標）ベースの電話）、携帯型ゲームデバイス（例えばＮｉｎｔｅｎｄｏ  ＤＳ（商
標）、ＰｌａｙＳｔａｔｉｏｎ  Ｐｏｒｔａｂｌｅ（商標）、Ｇａｍｅｂｏｙ  Ａｄｖａ
ｎｃｅ（商標）、ｉＰｈｏｎｅ（商標））、ラップトップ、ＰＤＡ、携帯型インターネッ
トデバイス、音楽プレイヤー、データ記憶デバイス、他のハンドヘルドデバイス、及び腕
時計、ヘッドホン、ペンダント、イヤホン等のウェアラブルデバイスが挙げられる。一般
に、用語「ＵＥ」又は「ＵＥデバイス」は、ユーザが容易に輸送でき、かつ無線通信が可
能な、いずれの電子デバイス、計算デバイス及び／又は遠距離通信デバイス（又はデバイ
スの組み合わせ）を包含するよう、広範に定義できる。
【００２６】
ベースステーション‐用語「ベースステーション」は、この語が通常意味するところの
全範囲を含み、少なくとも、固定位置に設置されて、無線携帯電話システム又はラジオシ
ステムの一部として通信に使用される、無線通信ステーションを含む。
【００２７】
要素プロセッサ‐様々な要素又は要素の組み合わせを表す。要素プロセッサとしては例
えば、ＡＳＩＣ（特定用途向け集積回路）等の回路、個々のプロセッサコアの部分若しく
は回路、複数のプロセッサコア全体、個々のプロセッサ、フィールドプログラマブルゲー
トアレイ（ＦＰＧＡ）等のプログラマブルハードウェアデバイス、及び／又は多数のプロ
セッサを含むシステムの比較的大きな部分が挙げられる。
【００２８】
自動的に（ａｕｔｏｍａｔｉｃａｌｌｙ）‐その作用又は動作を直接指定又は実施する
ユーザ入力を必要とせずに、コンピュータシステム（例えばコンピュータシステムが実行
するソフトウェア）又はデバイス（例えば回路構成、プログラム可能なハードウェア要素
、ＡＳＩＣ等）が実施する動作又は操作について用いる。従って用語「自動的に」は、ユ
ーザが手動で実施又は指定する操作（ここでユーザが操作を直接実施するために入力を提
供する）と対照的なものである。自動処理は、ユーザが提供する入力によって開始される
場合があるが、これに続く「自動的に」実施される動作は、ユーザが指定するものではな
く、即ち「手動で」実施される（ユーザが各動作の実施を指定する）ものではない。例え
ばユーザが、各フィールドを選択し、（例えば情報をタイピングすることによって、チェ
ックボックスを選択することによって、無線選択によって等で）情報を指定する入力を提
供することによって、電子フォームを埋める場合、仮にコンピュータシステムがユーザの
動作に応答して上記フォームを更新しなければならないとしても、これは上記フォームを
手動で埋めたことになる。このようなフォームはコンピュータシステムによって自動で埋
めることができ、この場合コンピュータシステム（例えばコンピュータシステム上で実行
されるソフトウェア）は、フォームのフィールドを分析して、フィールドへの回答を指定
するいずれのユーザ入力を必要とせずにフォームを埋める。上述のように、ユーザはフォ
ームを自動で埋める動作を発動する場合はあるが、実際にフォームを埋める動作には関わ
らない（例えばユーザはフィールドへの回答を手動で指定せず、回答は自動的に完了する
）。本明細書は、ユーザが行う動作に応答して自動的に実施される操作の様々な例を提供
する。
【００２９】
無線ネットワークアーキテクチャ
ある一連の実施形態では、無線ネットワーク５０は、図１に示すように構成してよい無
線ネットワークは、ベースステーションＢＳ１、ＢＳ２、…、ＢＳＮによって例示的に示
唆されているように、１つ又は複数のベースステーションを含んでよい。集中型又は分散
型の構成コントローラＣＣは、様々な通信媒体のいずれを通してベースステーションに連
結できる。例えば一実施形態では、通信コントローラは、インターネットを介して、又は
更に一般的にはコンピュータネットワークを介して、ベースステーションに連結できる。
各ベースステーションは、１つ又は複数のユーザデバイスに情報を無線送信する。（各ユ
ーザデバイスＵＤは、黒色で塗り潰された丸で表されている。）ユーザデバイスのうちの
いくつかは、テレビジョン、
家庭又はオフィスに設置された無線設備、セットトップボックス及びデスクトップコンピ
ュータといった、固定デバイスであってよい。ユーザデバイスのうちの他のものは、携帯
電話、タブレット、ラップトップコンピュータ、携帯型ＴＶレシーバ、車載デバイス、飛
行機搭載デバイスといった、移動体デバイスであってよい。無線ネットワークのオペレー
タＯｐは、（例えばインターネットを介して）構成コントローラＣＣにアクセスしてよく
、ベースステーションの１つ又は複数に関する、ラジオ動作パラメータ及び／又は動作要
件を指定する入力を提供してよい。構成コントローラにより、オペレータは、上記指定さ
れたラジオ動作パラメータ及び／又は動作要件に適合するパラメータ値のセットを選択し
て、上記選択されたパラメータ値のセットを１つ又は複数のベースステーションに適用で
きる。
【００３０】
ＯＦＤＭシステム構成
図１Ｂは、一実施形態によるＯＦＤＭデータポンプ１００を示す。ＯＦＤＭデータポン
プは、トランスミッタ１１０、レシーバ１２０を含む。トランスミッタ１１０は、送信媒
体１１５を通してレシーバ１２０に対して送信を行う。
【００３１】
トランスミッタ１１０は、高速フーリエ逆変換（ＩＦＦＴ）ユニット１１２、サイクリ
ックプレフィクス（ＣＰ）付与ユニット１１５を含む。（より一般的には、ユニット１１
２は、離散フーリエ逆変換を実施してよい。）逆ＦＦＴユニットは、ＩＦＦＴサイズＮFF
Tを変更できるように構成できる（又はプログラムできる）。ＣＰ付与ユニットは、サイ
クリックプレフィクスサイズを変更できるように構成できる（又はプログラムできる）。
ＯＦＤＭシンボルを形成するために、ＩＦＦＴユニット１１２は、ＮFFTサブキャリアシ
ンボル（例えばＱＡＭシンボル）の集合を、ＮFFTタイムドメインサンプルの集合に変換
する。各サブキャリアシンボルは、コンスタレーション（例えばＱＡＭコンスタレーショ
ン又はＰＳＫコンスタレーション）から選択してよい。１６ＱＡＭコンスタレーション（
１１１として標識される）が図１Ｂに示されているが、様々なコンスタレーションのいず
れを使用してよい。実際には、コンスタレーションは、一連のサポートされているコンス
タレーションから（例えばシステムオペレータによって、又は自動的に、制御アルゴリズ
ムによって）選択してよい。
【００３２】
ＣＰ追加ユニット１１５は、上記タイムドメインサンプルの集合にサイクリックプレフ
ィクスを付与して、サンプルの増補された集合を得る。（サイクリックプレフィクスは、
マルチパス誘発型遅延広がりに対するレシーバの耐性を改善するために使用される。）ト
ランスミッタはまた、上記サンプルの増補されたセットをアナログドメインに変換するた
めの、デジタル‐アナログコンバータ（図示せず）も含む。得られたアナログＯＦＤＭシ
グナルは、ＲＦ送信回路構成を用いて送信される。
【００３３】
レシーバ１２０は、ＲＦレシーバ回路構成を用いて、ＯＦＤＭシグナルを受信する。受
信されたＯＦＤＭシグナルは、アナログ‐デジタル変換回路構成を用いて、サンプルのス
トリームに変換される。ＣＰ除去ユニット１２５は、サイクリックプレフィクスに対応す
るサンプルを除去する。（ＣＰの除去は、シンボル間干渉を排除する役割を果たすことが
でき、また、遅延広がりがガード区間ＧＩに完全に含まれる場合に、単純なシングルタッ
プの等化を可能とする。）ＮFFTサンプルの残りの集合は、ＮFFTサブキャリアシンボルの
集合への変換のために、高速フーリエ変換（ＦＦＴ）ユニット１２７に提供される。ＦＦ
Ｔユニットは、ＦＦＴサイズＮFFTを変更できるように構成できる（又はプログラムでき
る）。同様に、ＣＰ除去ユニットは、サイクリックプレフィクスサイズを変更できるよう
に構成できる（又はプログラムできる）。
【００３４】
トランスミッタ１１０はフレームを生成してよく、各フレームは複数のＯＦＤＭシンボ
ルを含む。１３０に示すように、各ＯＦＤＭシンボルは、ガード区間（ＧＩ）及びデータ
部分ＤＰを含む。ガード区間は、ＯＦＤＭシンボルのサイクリックプレフィクスを含む。
ガード区間の持続時間は、トランスミッタからの受信を行うユーザデバイスが経験する予
測最大遅延広がりに基づいて構成してよい。（遅延広がりは、レシーバにおける、最初に
到着するマルチパスコンポーネントと最後に到着するマルチパスコンポーネントとの間の
時間差である。）小さなセルでは、上記予測最大遅延広がりは、より大きなセルに比べて
小さくなり得る。更に、単一周波数ネットワーク（ＳＦＮ）におけるトランスミッタ間の
分離もまた、両トランスミッタの範囲内のレシーバに関する遅延広がりのソースを構成す
る。従って、ガード区間のサイズは、セルのサイズ若しくはトランスミッタの所望の範囲
、又はＳＦＮの場合はトランスミッタ間の分離によってスケーリングされ得る。
【００３５】
ＯＦＤＭでは、データ部分ＤＰ中のサンプルの個数は、ＩＦＦＴを実施するために使用
されるＦＦＴサイズＮFFTと同一である。従ってデータ部分の持続時間ＴFFTは、ＦＦＴサ
イズＮFFT及びサンプルレートによって決定される。（トランスミッタにおいては、サン
プルレートとは、デジタル‐アナログコンバータが動作して、ＩＦＦＴユニット１１２が
提供するサンプルを変換するレートである。レシーバにおいては、サンプルレートとは、
アナログ‐デジタルコンバータが受信したアナログシグナルからサンプルを生成するレー
トである。）更に、ＯＦＤＭシグナルの隣接するサブキャリア間の間隔Δｆは、以下の関
係式：
Δｆ＝ｆS／ＮFFT    （１）
によって制限され、ここでｆSはサンプルレートである。特に、いずれの所定のサンプル
レートｆSに関して、サブキャリア間隔はＦＦＴサイズＮFFTに対して逆関係にあることが
観察される。ユーザデバイスがトランスミッタに対して移動する場合、このユーザデバイ
スが受信するＯＦＤＭシグナルは、ユーザデバイスの速度の径方向成分に応じた量だけド
ップラー偏移することになる。ＯＦＤＭシグナルのサブキャリア間隔がドップラー偏移に
関して十分に大きくない場合、ＵＥデバイスがＯＦＤＭシグナルを十分な信頼性でデコー
ドできる能力が損なわれることになる。従ってサブキャリア間隔は、（ＦＦＴサイズ及び
／又はサンプルレートｆSの適切な選択によって）トランスミッタ１１０のセル中のユー
ザデバイスの予測最大移動性に基づいて構成され得る。
【００３６】
システムパラメータ
いくつかの実施形態では、基本的なシステムパラメータは、利用可能なシグナル帯域幅
に基づいて選択してよい。必要なサンプリングレートｆS及び占有される帯域幅Ｂに対す
るＦＦＴ寸法ＮFFT及びサブキャリア間隔Δｆは以下：
ｆS＝ＮFFT・Δｆ               （２Ａ）
Ｂ＝ＮSA・Δｆ                 （２Ｂ）
ＴFFT＝１／Δｆ                （２Ｃ）
ＴSYM＝ＧＩ＋ＴFFT             （２Ｄ）
＝（ＣＰ％＋１）・ＴFFT  （２Ｅ）
の通りであり、ＮSCは、パワードデータサブキャリアの個数であり、ＣＰ％はＧＩ／ＴFF
Tに等しい。（ＮSCパワードデータサブキャリアは、ＮFFTサブキャリアの適切なサブセッ
トとして選択され、隣接するチャネル間の保護帯域を実現可能とする。）あるスーパフレ
ーム（又はフレーム）中の各ＯＦＤＭシンボルの持続時間を同一となるように制限し、か
つ上記スーパフレーム（又はフレーム）の１つ又は複数のデータ搬送部分が過剰なサンプ
ルを有することなく整数Ｎsym個のＯＦＤＭシンボルを含むことを求める場合、Ｎsym、Ｎ
FFT、ｆS、Ｂ、ＣＰ％といったパラメータの値の可能性のある組み合わせは完全に任意で
はない。しかしながら、ＮFFT、ｆS、Ｂ等のパラメータが、密な値の範囲からの値を取る
ようにすることによって、スーパフレーム（又はフレーム）が整数個のＯＦＤＭシンボル
を含むという要件を保ったまま、あるパラメータ値の組み合わせがシステム要件を満たす
ことを発見できることを保証できる。
【００３７】
パフォーマンスメトリクス
システムパラメータは、１つ又は複数のパフォーマンスメトリクスを最大化するように
選択してよい。ある所定の展開に関して予想されるセルの特徴を仮定して、信頼できるパ
フォーマンスを同時に配信するシステム構成を選択することが、オペレータの目的である
。
【００３８】
ドップラー速度
オペレータは、あるセル中のユーザデバイスの予想最大速度ＶDに関して、当該セルに
おいて（又はある所定の時刻に）予想される移動性のレベルを指定してよい。予想最大ド
ップラー偏移ＤＳMEは、以下の関係式：
【００３９】
【数１】
2020025294.tif 000003
【００４０】
に従い、予想最大速度に左右され、ここでｃは光速、ｆCは送信されるＯＦＤＭシグナル
のキャリア周波数である。信頼できる復調を保証するために、予想最大ドップラー偏移及
びサブキャリア間隔Δｆは典型的には、最大ドップラー偏移がサブキャリア間隔Δｆのフ
ラクションｋ以下となる、即ち：
【００４１】
【数２】
2020025294.tif 000004
【００４２】
となるように制限され、ここで０＜ｋ＜１である。フラクションｋの値は、異なる複数の
実施形態によって変化し得る。
【００４３】
範囲
いくつかの実施形態では、範囲Ｒ（例えばＳＦＮの放送タワー間の分離）は、以下の関
係式：
Ｒ＝ｃ・ＧＩ            （５Ａ）
＝ｃ・ＴFFT・ＣＰ％   （５Ｂ）
に従って、ガード区間ＧＩによって決定できる。
【００４４】
システム構成ワークシート
システム構成は、システム構成ワークシート（又はスプレッドシート）を利用して実施
してよい。このワークシートにより、システム設計者は、構成パラメータの略排他的な範
囲を系統的に調査でき、定められた基準のセットを適用して、特定の展開シナリオに最も
好適な構成を見つけ出すことができる。
【００４５】
制御盤
制御盤は、基本的なシステムセットアップを提供するために使用してよい。制御盤はシ
ステム設計者が使用してよく、これによりシグナル帯域幅Ｂsig、サンプリングレートｆS
といったパラメータを指定できる。またワークシートによって、設計者がサブフレーム、
フレーム及びスーパフレーム持続時間を指定できるようにすることができる。スーパフレ
ーム持続時間を用いて、ある所定のシステム展開に好適な無数の選択肢から構成パラメー
タの組み合わせを決定できる。表１（即ち図２）は、制御盤の実施形態２００を示す。設
計者（又はシステムオペレータ）は、シグナル帯域幅パラメータ、シグナル持続時間パラ
メータ及び種々のパラメータ等のパラメータの値を入力してよい。シグナル帯域幅パラメ
ータは、公称チャネル帯域幅Ｂchan、占有されるシグナル帯域幅Ｂsig、サンプルレート
ｆS、リソースブロックの個数ＮＲＢを含んでよい。シグナル持続時間パラメータは、サ
ブフレーム持続時間（ｓｆ）、フレーム持続時間（Ｆ）、スーパフレーム持続時間（ＳＦ
）を含んでよい。上記種々のパラメータは、許容可能な最大サイクリックプレフィクスパ
ーセンテージ（最大ＣＰ％）、シンボル周期あたりのリソースブロックあたりのサブキャ
リアの個数ＮSC、サブキャリア間隔Δｆ、公称リソースブロック帯域幅ＲＢ＿ＢＷを含ん
でよい。表１に示すパラメータのうちのいくつかは、相互依存性であってよい。例えばＮ
ＲＢ及びＮSCは、配分されるチャネル帯域幅から隣接するチャネル間のいずれの保護帯域
を差し引いたものに左右され得る。
【００４６】
様々なパラメータに関して表１に示す単位は例示的なものであり、異なる実施形態に関
して変化してよい。更に他の実施形態では、制御可能なパラメータの他のセットを使用し
てよい。
【００４７】
パラメータ選択
プロセスは、指定されたスーパフレーム持続時間内において整数個のＯＦＤＭシンボル
（即ちサイクリックプレフィクスを含むＯＦＤＭ）が得られない構成（即ちパラメータ値
の組み合わせ）を最初に排除することによって開始してよい。ＯＦＤＭシンボル区間ＴSY
Mは、ある所定のサンプリングレートに関するＦＦＴ寸法区間ＴFFT及びＣＰ％によって決
定される。（ＣＰ％は、比ＧＩ／ＴFFTである。）サンプリングレートは、利用可能なチ
ャネル帯域幅及び関連するサブキャリア間隔（Δｆ）の関数として決定できる：
ｆS＝ＮFFT・Δｆ       （６Ａ）
Ｂsig＝ＮSC・Δｆ      （６Ｂ）
ここでＮSCは、パワードデータサブキャリアの個数である。更に：
ＴFFT＝１／Δｆ                （７Ａ）
ＴSYM＝ＧＩ＋ＴFFT             （７Ｂ）
＝（ＣＰ％＋１）・ＴFFT  （７Ｃ）
である。
【００４８】
スーパフレームあたりのＯＦＤＭシンボルの個数ＮSYMは、制御盤において指定される
ようなスーパフレーム持続時間を、ＯＦＤＭシンボル区間ＴSYMで除算することによって
決定される。個数ＮSYMは、ＦＦＴ寸法ＮFFT及びＣＰ％の各組み合わせに関して計算して
よい。（ＦＦＴ寸法は本明細書では「ＦＦＴサイズ」とも呼ばれる。）実装を容易にする
ために、ＦＦＴ寸法の、可能性のある値を、定められた公式に基づいて昇順に列挙してよ
い。ＦＦＴ寸法の可能性のある値は、表２（即ち図３）に示すように、例えばＮFFT＝５m
３n２p（ｍ、ｎ、ｐは負ではない整数）といった素数のべき乗の式に適合してよい。ＣＰ
％の候補値は、略排他的な範囲を包含する有理分数である。（有理分数は、Ｎ／Ｄ（Ｎ、
Ｄは正の整数）の形態の分数である。整数Ｄは、ＮFFTの可能性のある値によって制限さ
れ得る。）ＮSYMに関して整数値が得られるＮFFTとＣＰ％との組み合わせを識別する。こ
れらの組み合わせ（「構成（ｃｏｎｆｉｇｕｒａｔｉｏｎ）」と呼ぶ場合もある）を、パ
ラメータのスクリーニングの次のレベルに供する。作表された数値フィールド２１０は、
２つのこのような組み合わせ、即ち：
ＮSYM＝１１８に対応する（ＮFFT，ＣＰ％）＝（３０７２，１．６９％）；及び
ＮSYM＝５９に対応する（ＮFFT，ＣＰ％）＝（６１４４，１．６９％）
を示す。サンプルレート値ｆS＝９．２１６メガサンプル／秒及びチャネル帯域幅値Ｂcha
n＝６ＭＨｚを数値フィールド２１０と接続する線は、上記数値フィールド内で与えられ
るＮSYMの値がサンプルレート値及びチャネル帯域幅値に左右されることを示している。
【００４９】
表２（即ち図３）には、ＣＰ％の値が５個、ＮFFTの値が２３個のみ示されているが、
いずれの個数のＣＰ％値及びいずれの個数のＮFFT値を調査してよいことを理解されたい
。実際には、表２（図３）には、作表された数値フィールド２１０の僅かな部分しか示さ
れていない。
【００５０】
上述のように、いくつかの実施形態では、ＮFFTは別個の素数ｐ1、ｐ2、…、ｐmのべき
乗の積であってよい：
【００５１】
【数３】
2020025294.tif 000005
【００５２】
ここでｎ1、ｎ2、…ｎmは負ではない整数である。ＦＦＴアルゴリズムを用いてＮFFT‐点
離散フーリエ変換の少なくとも一部分を実装できるよう、上記別個の素数は好ましくは２
を含む。従ってＮFFTの素数のべき乗への分解は以下の形態を有し得る：
【００５３】
【数４】
2020025294.tif 000006
【００５４】
いくつかの実施形態では、上記分解中の２のべき乗の項は、残りの項の積に対して優位
（例えば大幅に優位）であってよい。即ち：
【００５５】
【数５】
2020025294.tif 000007
【００５６】
である。ＮFFT点離散フーリエ変換は、サイズがＫ＝２＾（ｎm）である効率的なＦＦＴと
、サイズがＮFFT／Ｋである効率が低いＤＦＴとに分解できるため、２のべき乗が優勢で
あることにより、ＮFFT点ＤＦＴの全体としての効率が上昇する。上記別個の素数の集合
中において２以外の素数を可能とすることにより、ＮFFTの値のより密なセットが提供さ
れ、従ってＮSYMに関して整数値の解が見つかる蓋然性が高まる一方で、ＮFFT点ＤＦＴの
計算の複雑性を制御することが望ましい。従ってｎ1、ｎ2、…ｎm-1の値を、
【００５７】
【数６】
2020025294.tif 000008
【００５８】
が２＾（ｎｍ）に比べて小さくなるように制限してよい。
【００５９】
操作盤
操作盤により、放送局は、ある所定のシステム展開に関するパフォーマンス目標を確立
できる。オペレータは、キャリア周波数ｆC、範囲標的Ｒ、ユーザ移動性を指定してよい
。ユーザ移動性は例えば、ユーザデバイスの予想最大速度ｖに関して指定（又は指示）し
てよい。範囲標的は、送信されるＯＦＤＭシンボルの、必要な最小ガード区間（ＧＩ）を
決定する。（ＯＦＤＭシンボルのサイクリックプレフィクスは、上記最小ガード区間以上
の持続時間を有しなければならない。）予想最大速度から計算される予想最大ドップラー
偏移は、許容される最小サブキャリア間隔を決定する。操作盤の実施例４００を示す表３
（即ち図４）を参照されたい。オペレータは、変調方式（ｍｏｄ）、サブキャリアシンボ
ルあたりのビット数、（例えばビットをサブキャリアシンボルに対してマッピングする前
のバイナリ畳み込みコーディングに関する）コーディングレートｋ／ｎ、シグナリングオ
ーバヘッドパーセンテージ（ｏｖｒ）も指定してよい。シグナリングオーバヘッドは、例
えば同期シグナル、パラメータ選択、パイロットを搬送するために予約されるサブキャリ
アといった非ユーザデータを搬送するために予約されるいずれのシンボル周期として定義
される。
【００６０】
いくつかの実施形態では、操作盤の範囲標的Ｒを、放送タワー間の分離に基づいて（オ
ペレータが）設定してよい。範囲標的は、以下：
Ｒ＝ｃ・ＧＩmin                （９Ａ）
＝Ｃ・ＴFFT（ＣＰ％）min     （９Ｂ）
に従って、最小ガード区間ＧＩ及び／又は最小ＣＰ％を決定できる。ＯＦＤＭシンボルの
ガード区間は、最小ガード区間ＧＩmin以上でなくてはならない。
【００６１】
操作盤のドップラー速度ｖは、セル内において（又は所定の時刻において）予想される
移動性の最大レベルを表し、これは、以下の関係式：
【００６２】
【数７】
2020025294.tif 000009
【００６３】
に従って、予想最大ドップラー偏移ＤＳMEを決定する。
【００６４】
信頼できる復調を保証するために、許容可能な最大ドップラー偏移ＤＳMaxTolを、サブ
キャリア間隔のフラクションｋ（５％又は１０％又は１５％等）に等しくなるように設定
する：
ＤＳMaxTol＝ｋΔｆ     （１１）
【００６５】
予想最大ドップラー偏移ＤＳMEは、許容可能な最大ドップラー偏移ＤＳMaxTol以下でな
くてはならない：
ＤＳME≦ＤＳMaxTol      （１２）
【００６６】
【数８】
2020025294.tif 000010
【００６７】
従って、フラクションｋが与えられると、予想最大ドップラー偏移は、サブキャリア間
隔Δｆの、可能性のある最小値を定義する。ドップラー偏移要件（１３）は、ドップラー
速度要件：
【００６８】
【数９】
2020025294.tif 000011
【００６９】
（ここでｋ＊ｃ＊Δｆ／ｆCは許容可能な最大ドップラー速度である）として同等に表す
ことができることに留意されたい。表４（即ち図５）では、「最大ドップラー」として標
識された２つの列は、ｋ＝０．１である場合の上記許容可能な最大ドップラー速度に対応
する。
【００７０】
範囲及び遅延広がり公差
（例えば複数のトランスミッタが単一周波数ネットワークとして動作する場合に発生す
るような）複数のタワーからの同時送信は、２つのタワー両方の範囲内のいずれのユーザ
デバイスへの有意なマルチパスにつながる。操作盤においてオペレータが指定する所望の
範囲（即ち範囲標的Ｒ）は、必要な遅延広がり公差を提供するために必要な最小ガード区
間ＧＩMINを決定する。ＮFFT及びＣＰ％のある所定の組み合わせに対応するガード区間は
：
ＧＩ＝（ＣＰ％）ＮFFT／ｆS    （１５）
によって与えられる。パラメータの有効な組み合わせは、最小ガード区間に関する制約：
ＧＩMIN≦ＧＩ                 （１６）
を満たさなければならない。
【００７１】
ある所定のシステム構成（即ちパラメータ値の組み合わせ）によって可能となる放送範
囲は、ガード区間ＧＩに左右される。大きな／小さなガード区間は、大きな／小さな放送
範囲を暗示する。あるシステム構成に対応する放送範囲は、以下の式：
放送範囲＝ｃ＊ＧＩ                     （１７Ａ）
放送範囲＝ｃ＊（ＣＰ％）ＴFFT          （１７Ｂ）
放送範囲＝ｃ＊（ＣＰ％）ＮFFT／ｆS     （１７Ｃ）
のうちの１つ又は複数に基づいて計算できる。表４（即ち図５）の数値フィールド５１０
は、ＮFFT及びＣＰ％の値の様々な組み合わせに関する放送範囲の値（キロメートル）を
含む。
【００７２】
表４（即ち図５）に示すように、ドップラー偏移要件（１３）を満たす、又はこれを超
えるサブキャリア間隔ΔｆをもたらすＦＦＴサイズの値は、太字で強調されている。（Ｎ
FFT＝１６３８４は、これらのＦＦＴサイズのうちの最大のものであり、これは操作盤の
ＮFFTフィールドに表示される。）スーパフレームあたりの整数ＮSYM個のシンボルという
制約に更に適合する組み合わせは、更なる考察のために保持される。
【００７３】
ＣＰオーバヘッド及びシステムスループット
システムパラメータを選択する際の最終的な目標は、システムスループットを最大化す
ることである。操作盤は、展開されるセルにおける放送送信に適用される、例えばＱＰＳ
Ｋ、１６‐ＱＡＭ、６４‐ＱＡＭ、２５６‐ＱＡＭといった変調次数、及びコーディング
レートｋ／ｎの指定も可能とする。表５（即ち図６）を参照されたい。
【００７４】
スプレッドシートは、以下において更に議論するドップラー偏移要件を満たす最大ＦＦ
Ｔ寸法（即ちＦＦＴサイズ）を選択してよい。（基本となる関係式Δｆ＝ｆS／ＮFFTは、
固定サンプリングレートｆSの場合に、ＮFFTが増大するに従ってサブキャリア間隔Δｆが
減少することを暗示していることを想起されたい。）この最小ＦＦＴ寸法は、操作盤のＦ
ＦＴ寸法フィールド（ＮFFTで表される）に表示される。
【００７５】
選択されたＦＦＴ寸法に関して、スプレッドシートは更に、ＮSYM（スーパフレームあ
たりのシンボルの個数）に関して整数値をもたらし、かつガード区間に関する制約ＧＩ≧
ＧＩMIN、又はこれと同等に、範囲に関する制約、放送範囲≧範囲標的を満たす、最小の
ＣＰ％値を選択してよい。この最小のＣＰ％値は、対応するシンボル区間（即ちガード区
間ＧＩとＦＦＴ持続時間ＴFFTとの和）を計算するために使用され、これは操作盤のＴSYM
フィールドに表示される。図示した例では、ＣＰ％＝１２．５％が、ＮFFT＝１６３８４
に関して、整数値のＮSYM及び放送範囲≧範囲標的＝５０ｋｍを与える、最小ＣＰ％値で
ある。従ってＴSYM＝２０００が選択される。
【００７６】
ＴSYMを仮定して選択された変調方式及びコーディングレートに関して、スペクトル効
率を（例えばｂｐｓ／Ｈｚで）計算してよい。スペクトル効率は、操作盤のフィールド６
１０に表示してよい。
【００７７】
スループットは、選択された変調方式及びコーディングレートの関数としての、ＯＦＤ
Ｍシンボルあたりに配信されるビット数から、同期及び他のシグナリングのための追加の
フレーミングオーバヘッドを減算し、これをシンボル区間で除算したものとして計算でき
る。
【００７８】
提供されるシステムパフォーマンス
表５（即ち図６）に示す最終的な構成は、ＮFFT＝１６３８４及びＣＰ％＝１２．５％
に対応する、８．１９ｂｐｓ／Ｈｚのスペクトル効率を提供する。この構成は、ｆC＝６
００ＭＨｚで動作する５０ｋｍのセル半径に亘る、最高１００ｋｐｈの移動性を可能とす
る。本開示のスプレッドシートの動作を、入力パラメータの具体的な値に関して説明した
が、入力パラメータ値のいずれの組み合わせでこのスプレッドシートを使用してよいこと
を理解されたい。
【００７９】
ある一連の実施形態では、複数のラジオ動作環境において無線ネットワークを動作させ
る方法７００は、図７に示す動作を含んでよい。（方法７００はまた、上述の特徴、要素
及び実施形態のいずれのサブセットも含んでよい。）本方法は、記憶されているプログラ
ム命令の実行に応答して、コンピュータシステムによって実施してよい。
【００８０】
７１０では、コンピュータシステムは、２つ以上のパラメータ値のセットのライブラリ
から第１のパラメータ値のセットを選択してよく、ここで上記パラメータ値のセットは１
つ又は複数の通信関連パラメータそれぞれに関する値を含む。一実施形態では、上記１つ
又は複数の通信関連パラメータは、既に様々に説明したように、ＦＦＴサイズＮFFT及び
サイクリックプレフィクスパーセンテージを含む。第１のパラメータ値のセットは第１の
標的ラジオ動作環境に適している。上記第１のパラメータ値のセットを選択するステップ
のアクションは、第１の標的ラジオ動作環境において動作されることになる１つ又は複数
のインフラストラクチャラジオのうちの第１のセットに関して実施される。
【００８１】
いくつかの実施形態では、２つ以上のパラメータ値のセットのうちの少なくとも１つは
、移動体デバイス（例えばハンドセット、タブレット、車内のラジオ等）と通信するため
に最適化されてよい。例えばこのようなパラメータ値のセットは、固定デバイスに使用さ
れるものより大きな値のサブキャリア間隔を含んでよい。更に、ライブラリ中の２つ以上
のパラメータ値のセットのうちの少なくとも１つは、固定デバイス（例えば家庭内の無線
アクセスラジオ、テレビジョン等）と通信するために最適化されてよい。用語「通信（ｃ
ｏｍｍｕｎｉｃａｔｉｏｎ）」の意味の範囲は、ユニキャスト（例えばＬＥＴ、ＷｉＦｉ
等の場合）、マルチキャスト、ブロードキャスト、及び上記のいずれの組み合わせを含む
ものとして、広範に解釈されるべきである。
【００８２】
７１５では、コンピュータシステムは、１つ又は複数のインフラストラクチャラジオの
うちの第１のセットが第１のパラメータ値のセットを用いて始動して、ユーザデバイスと
無線通信するよう、第１のパラメータ値のセットを１つ又は複数のインフラストラクチャ
ラジオのうちの第１のセットに適用してよい。
【００８３】
いくつかの実施形態では、上記選択動作７１０及び上記適用動作７１５は、無線ネット
ワークの構成コントローラによって実施される。
【００８４】
いくつかの実施形態では、方法７００は、１つ又は複数の通信関連パラメータ（例えば
ＦＦＴサイズ及びＣＰ％）それぞれに関して可能性のある値のリストを生成するステップ
を含んでよく、この場合、第１のパラメータ値のセットを選択するステップのアクション
は、選択された値の組み合わせが以下の制約のうちの１つ又は複数を満たすように、１つ
又は複数のリストそれぞれから値を選択するステップを含む：上記組み合わせが、スーパ
フレームあたり整数個のシンボル（例えばＯＦＤＭシンボル）をもたらす；上記組み合わ
せが、移動性に対するオペレータ指定の制約を満たす；上記組み合わせが、範囲に対する
オペレータ指定の制約を満たす。
【００８５】
いくつかの実施形態では、選択された値の上記組み合わせは、例えばスプレッドシート
に関連して既に様々に説明したように、上記１つ又は複数の制約を受けるスループットを
最大化する。
【００８６】
いくつかの実施形態では、ライブラリを定義する２つ以上のパラメータ値のセットは、
１つ又は複数の基準に基づいて、可能性のあるパラメータ値のセットの大域空間から選択
されている。
【００８７】
いくつかの実施形態では、上記１つ又は複数の基準は、スーパフレームあたりのシンボ
ル（例えばＯＦＤＭシンボル）の個数が整数であるという要件を含んでよい。
【００８８】
いくつかの実施形態では、上記１つ又は複数の基準は、サブキャリア周波数間隔Δｆが
、指定された最大標的ドップラー偏移又は指定された最大速度に基づいて決定された最小
値以上であるという要件を含む。
【００８９】
いくつかの実施形態では、上記１つ又は複数の基準は、ガード区間が、インフラストラ
クチャラジオ送信の指定された予想最大範囲に基づく最小値以上であるという要件を含む
。
【００９０】
いくつかの実施形態では、上記１つ又は複数の通信関連パラメータのうちの１つは、Ｏ
ＦＤＭ  ＦＦＴサイズを含み、上記１つ又は複数の基準は、このＯＦＤＭ  ＦＦＴサイズ
の実装の計算効率を表す基準を含む。
【００９１】
いくつかの実施形態では、ＦＦＴサイズは、素数の固定されたセットのべき乗の積とな
るように制約される。
【００９２】
いくつかの実施形態では、１つ又は複数の通信関連パラメータのうちの１つは、サイク
リックプレフィクス（ＣＰ）パーセンテージを含み、上記ＣＰパーセンテージは、分子の
整数を分母の整数で除算したものとして計算される。サイクリックプレフィクスは、ＣＰ
％を満たすサンプルの最小の整数個数として挿入してよい。
【００９３】
いくつかの実施形態では、ＣＰパーセンテージは、例えば指定された実現可能な最大Ｃ
Ｐパーセンテージまで、昇順で計算される。
【００９４】
いくつかの実施形態では、ライブラリは、２つ以上のデフォルトのパラメータ値のセッ
ト（例えば、都市部環境における放送に関して最適化されたデフォルトのセット、非都市
部環境における放送に関して最適化されたデフォルトのセット、ＬＴＥ等の別の無線シス
テムとの適合性に関して最適化されたデフォルトのセット、固定通信に関して最適化され
たデフォルトのセット、システム情報を通信するために使用されるデフォルトのセット）
を含む。無線ネットワークの各ユーザデバイス及び各インフラストラクチャラジオは、上
記デフォルトのパラメータ値のセットをサポートしてよく、即ち上記デフォルトのパラメ
ータ値のセットのいずれを用いて、無線通信のために再構成可能であってよい。
【００９５】
いくつかの実施形態では、第１のパラメータ値のセットは、上記デフォルトのパラメー
タ値のセットのうちの１つではない。
【００９６】
いくつかの実施形態では、ライブラリのベースライン状態において、ライブラリ中の全
てのパラメータ値のセットは、デフォルトのパラメータ値のセットである。
【００９７】
いくつかの実施形態では、方法７００は、１つ又は複数の追加のパラメータ値のセット
によってライブラリを拡張するステップも含む。
【００９８】
いくつかの実施形態では、デフォルトのパラメータ値のセットは、インフラストラクチ
ャラジオ及び／又はユーザデバイス内に、製造時に事前にロードされる。
【００９９】
いくつかの実施形態では、第１のパラメータ値のセットを適用するステップのアクショ
ンは、１つ又は複数のインフラストラクチャラジオの各インフラストラクチャラジオに第
１の情報を送ることによって実施される。第１の情報は、第１のパラメータ値のセットを
識別する。
【０１００】
いくつかの実施形態では、第１の情報は第１のパラメータ値のセットを含む。
【０１０１】
いくつかの実施形態では、１つ又は複数のインフラストラクチャラジオのうちの第１の
セットのインフラストラクチャラジオのうちの少なくとも所定の１つは、ライブラリのロ
ーカルコピーを記憶する。上記所定のインフラストラクチャラジオは、ライブラリのロー
カルコピーに第１のパラメータ値のセットを追加するよう構成してよい。
【０１０２】
いくつかの実施形態では、１つ又は複数のインフラストラクチャラジオのうちの第１の
セットの各インフラストラクチャラジオは、ライブラリのローカルコピーを記憶し、第１
の情報は、ライブラリ中の上記２つ以上のパラメータ値のセットのうちの第１のパラメー
タ値のセットを示すセットポインタを備える。
【０１０３】
いくつかの実施形態では、第１のセットの１つ又は複数のインフラストラクチャラジオ
は、ＯＦＤＭを用いてユーザデバイスに対する無線送信を少なくとも行うように構成され
る。１つ又は複数の通信関連パラメータは、以下の１つ又は複数を含んでよい：スーパフ
レームあたりのシンボルの個数；チャネル帯域幅；占有される帯域幅（又は占有されるシ
グナル）；サンプリングレート；リソースブロックの個数；サブフレーム持続時間；フレ
ーム持続時間；スーパフレーム持続時間；シンボル周期あたりのリソースブロックあたり
のサブキャリアの個数；公称サブキャリア間隔；公称リソースブロック帯域幅；ＦＦＴサ
イズ；サイクリックプレフィックスサイズ（又はサイクリックプレフィックスパーセンテ
ージ）；標的範囲；キャリア中心周波数；（例えば最大速度又はドップラー偏移に関する
）ユーザ移動性要件；変調方式；コーディングレート；シグナリングオーバヘッド。
【０１０４】
いくつかの実施形態では、方法７００は、２つ以上のパラメータ値のセットのライブラ
リから第２のパラメータ値のセットを選択するステップも含んでよく、上記第２のパラメ
ータ値のセットは、第１の標的ラジオ動作環境とは異なる第２の標的ラジオ動作環境に適
しており、上記第２のパラメータ値のセットを選択するステップは、第２の標的ラジオ動
作環境で動作することになる、１つ又は複数のインフラストラクチャラジオのうちの第２
のセットに関して実施され、また方法７００は、１つ又は複数のインフラストラクチャラ
ジオのうちの第２のセットが第２のパラメータ値のセットを用いて始動して、ユーザデバ
イスと無線通信するよう、第２のパラメータ値のセットを１つ又は複数のインフラストラ
クチャラジオのうちの第２のセットに適用するステップも含んでよい。
【０１０５】
いくつかの実施形態では、上記第２のパラメータ値のセットを適用するステップは、１
つ又は複数のインフラストラクチャラジオのうちの第２のセットに第２の情報を送ること
によって実施され、第２の情報は第２のパラメータ値のセットを識別する。
【０１０６】
いくつかの実施形態では、第２の情報は第２のパラメータ値のセットを含む。
【０１０７】
いくつかの実施形態では、１つ又は複数のインフラストラクチャラジオのうちの第２の
セットの各インフラストラクチャラジオは、ライブラリのローカルコピーを記憶し、第２
の情報は、ライブラリ中の上記２つ以上のパラメータ値のセットのうちの第２のパラメー
タ値のセットを示すセットポインタを備える。
【０１０８】
いくつかの実施形態では、方法７００は、１つ又は複数のインフラストラクチャラジオ
のうちの第１のセットが、第１の標的ラジオ動作環境とは異なる第２の標的ラジオ動作環
境において動作することになることが決定されるのに応答して、ライブラリから第２のパ
ラメータ値のセットを選択するステップも含み、この第２のパラメータ値のセットは、上
記第２の標的ラジオ動作環境に適している。続いて、１つ又は複数のインフラストラクチ
ャラジオのうちの上記第１のセットが第２のパラメータ値のセットを用いて始動して、ユ
ーザデバイスと無線通信するよう、第２のパラメータ値のセットを１つ又は複数のインフ
ラストラクチャラジオのうちの第１のセットに適用してよい。
【０１０９】
いくつかの実施形態では、第２のパラメータ値のセットを１つ又は複数のインフラスト
ラクチャラジオのうちの第１のセットに適用するステップのアクションは、１つ又は複数
のインフラストラクチャラジオのうちの第１のセットに第２の情報を送ることによって実
施され、上記第２の情報は、第２のパラメータ値のセットを識別する。
【０１１０】
いくつかの実施形態では、第２の情報は第２のパラメータセットを含む。
【０１１１】
いくつかの実施形態では、１つ又は複数のインフラストラクチャラジオのうちの第１の
セットの各インフラストラクチャラジオは、ライブラリのローカルコピーを記憶し、第２
の情報は、ライブラリ中の上記２つ以上のパラメータ値のセットのうちの第２のパラメー
タ値のセットを示すセットポインタを備える。
【０１１２】
いくつかの実施形態では、無線ネットワークは無線ブロードバンドネットワークである
。
【０１１３】
いくつかの実施形態では、無線ネットワークはテレビジョン放送ネットワークである。
【０１１４】
いくつかの実施形態では、１つ又は複数のインフラストラクチャラジオは、ＯＦＤＭを
用いてユーザデバイスに対する無線送信を少なくとも行うように構成される。
【０１１５】
いくつかの実施形態では、１つ又は複数のインフラストラクチャラジオはそれぞれトラ
ンスミッタを含む。
【０１１６】
いくつかの実施形態では、１つ又は複数のインフラストラクチャラジオはそれぞれトラ
ンシーバを含む。
【０１１７】
いくつかの実施形態では、第１の標的ラジオ動作環境は都市部環境である。
【０１１８】
いくつかの実施形態では、第１の標的ラジオ動作環境は非都市部環境である。
【０１１９】
いくつかの実施形態では、第１の標的ラジオ動作環境は、移動体デバイスとの通信用で
ある。
【０１２０】
いくつかの実施形態では、第１の標的ラジオ動作環境は、固定デバイスとの通信用であ
る。
【０１２１】
いくつかの実施形態では、第１のパラメータ値のセットの選択は事前に決定されている
。
【０１２２】
いくつかの実施形態では、第１のパラメータ値のセットの選択はリアルタイムで実施さ
れる。
【０１２３】
いくつかの実施形態では、方法７００は、（例えば第１のパラメータ値のセット及び他
の制御情報を含む）システム情報並びにユーザデータの、インフラストラクチャラジオか
らユーザデバイスへの送信を時間多重化するステップも含む。
【０１２４】
いくつかの実施形態では、第１のパラメータ値のセットをまだ知らない、ネットワーク
に対して新規である複数のデバイスを包含するために、システム情報は、（サポートされ
ている変調次数のセットのうちの）最低次の変調を用いて、（サポートされている帯域幅
のうちの）最も狭いシグナル帯域幅において送信される。
【０１２５】
ある一連の実施形態では、無線ネットワーク内のインフラストラクチャラジオ８００は
、図８に示すように構成できる。（インフラストラクチャラジオ８００はまた、上述の特
徴、要素及び実施形態のいずれのサブセットも含んでよい。）インフラストラクチャラジ
オは、回路構成８１０及びアンテナシステム８１５を含んでよい。
【０１２６】
回路構成８１０は、無線ネットワークの構成コントローラから第１の情報を受信するよ
う構成されてよい。例えば回路構成８１０は、一般的にインターネット又は他のコンピュ
ータネットワークを介して通信するためのネットワークインタフェース又はモデムを含ん
でよい。第１の情報は、２つ以上のパラメータ値のセットのライブラリから第１のパラメ
ータ値のセットを識別する。パラメータ値のセットそれぞれは、１つ又は複数の通信関連
パラメータそれぞれに関する値を含む。第１のパラメータ値のセットは、第１の標的ラジ
オ動作環境に適している。
【０１２７】
回路構成８１０は更に、第１のパラメータ値のセットを用いて、ユーザデバイスと無線
通信するようにインフラストラクチャラジオを再構成するよう、構成されてよい。いくつ
かの実施形態では、回路構成８１０は、コントローラ及び波形生成回路構成を含んでよい
。コントローラは、送信されることになるシンボル（例えばＯＦＤＭシンボル）を生成す
る際に第１のパラメータ値のセットの値を使用するよう、波形生成回路構成をプログラム
してよい。
【０１２８】
回路構成８１０は、ユーザデバイスが、第１のパラメータ値のセットを用いて、インフ
ラストラクチャラジオと無線通信するように自身を再構成できるよう、第１のパラメータ
値のセット又は第１のパラメータ値のセットを識別する第１の情報をユーザデバイスに送
信するよう、構成してよい。いくつかの実施形態では、回路構成８１０は、第１のパラメ
ータ値のセット（又は第１の識別情報）を含むシステム情報をユーザデバイスに送信する
ための、ツリー型機構を使用してよい。上記ツリー型機構では、現在の制御フィールドの
値は、次の制御フィールドに含まれることになる制御情報の種類を決定してよい。従って
、ある所定の制御フィールドは、送信される異なる複数のスーパフレーム又はフレームに
おいて異なる意味を有し得る。
【０１２９】
いくつかの実施形態では、ライブラリを定義する２つ以上のパラメータ値のセットは、
１つ又は複数の基準に基づいて、可能性のあるパラメータ値のセットの大域空間から（例
えば構成コントローラによって）選択されている（又は事前に決定されてインフラストラ
クチャラジオに事前にロードされる）。
【０１３０】
いくつかの実施形態では、ライブラリは、２つ以上のデフォルトのパラメータ値のセッ
ト（例えば、都市部環境における放送に関して最適化されたデフォルトのセット、非都市
部環境における放送に関して最適化されたデフォルトのセット、ＬＴＥ等の別のネットワ
ークとの適合性に関して最適化されたデフォルトのセット、固定通信に関して最適化され
たデフォルトのセット、システム情報を通信するために使用されるデフォルトのセット）
を含む。無線ネットワークのインフラストラクチャラジオ及び各ユーザデバイスは、上記
デフォルトのパラメータ値のセットをサポートしてよく、即ち上記デフォルトのパラメー
タ値のセットのいずれを用いて、無線通信のために再構成可能であってよい。
【０１３１】
いくつかの実施形態では、第１の情報は、第１のパラメータ値のセット自体を含む。
【０１３２】
いくつかの実施形態では、この回路構成は、ライブラリのローカルコピーを記憶するよ
う、及び上記第１の情報を受信した後で、第１のパラメータ値のセットをライブラリのロ
ーカルコピーに追加するよう、構成される。
【０１３３】
いくつかの実施形態では、第１のパラメータ値のセット（又は第１のパラメータ値のセ
ットを識別する第１の情報）をユーザデバイスに送信するステップのアクションは、デフ
ォルトのパラメータ値のセットのうちの１つに基づいて、無線チャネルを用いて実施され
る。
【０１３４】
いくつかの実施形態では、第１のパラメータ値のセットは、デフォルトのパラメータ値
のセットのうちの１つではない。
【０１３５】
いくつかの実施形態では、インフラストラクチャラジオはライブラリのローカルコピー
を記憶し、第１の情報は、ライブラリ中の上記２つ以上のパラメータ値のセットのうちの
第１のパラメータ値のセットを示すセットポインタを含む。
【０１３６】
いくつかの実施形態では、この回路構成は、１つ又は複数のＲＦトランシーバ、１つ又
は複数のベースバンドプロセッサ、１つ又は複数の制御プロセッサを含む。
【０１３７】
いくつかの実施形態では、１つ又は複数の制御プロセッサは、ユーザデータによってパ
ラメータ値のセットの送信を時間多重化するよう構成される。例えばパラメータ値のセッ
トは、ＬＴＥが、割り当てられたパラメータ値のセットをまだ知らない、ネットワークに
対して新規である複数のデバイスを包含するために、システム情報を、最低次の変調を用
いて、最も狭いシグナル帯域幅において周期的に放送するのと同一の様式で、周期的に送
信されてよい。
【０１３８】
いくつかの実施形態では、この回路構成は、１つのＲＦ放送トランスミッタ、１つのベ
ースバンドプロセッサ、１つの制御プロセッサを含む。
【０１３９】
いくつかの実施形態では、上記回路構成は更に：構成コントローラから第２の情報を受
信するよう（ここで第２の情報は、ライブラリからの第２のパラメータ値のセットを識別
し、上記第２のパラメータ値のセットは、第１の標的ラジオ動作環境とは異なる第２の標
的ラジオ動作環境に適している）；第２のパラメータ値のセットを用いて、ユーザデバイ
スと無線通信するように、インフラストラクチャラジオを再構成するよう；及びユーザデ
バイスが第２のパラメータ値のセットを用いて、インフラストラクチャラジオと無線通信
するように自身を再構成できるよう、第２のパラメータ値のセット（又は第２のパラメー
タ値のセットを識別する第２の情報）をユーザデバイスに送信するよう、構成される。
【０１４０】
いくつかの実施形態では、第２の情報は第２のパラメータ値のセット自体を含む。
【０１４１】
いくつかの実施形態では、インフラストラクチャラジオは、ライブラリのローカルコピ
ーを記憶し、第２の情報は、ライブラリ中の上記２つ以上のパラメータ値のセットのうち
の第２のパラメータ値のセットを示すセットポインタを備える。
【０１４２】
いくつかの実施形態では、上記回路構成は、ＯＦＤＭを用いてユーザデバイスと無線通
信するよう構成される。
【０１４３】
いくつかの実施形態では、システム情報の送信は、ユーザデータでシステム情報の送信
を時間多重化することによって実施され、システム情報は、第１のパラメータ値のセット
（又は代替的なパラメータ値のセット）と、場合によっては他の制御情報とを含む。
【０１４４】
いくつかの実施形態では、第１のパラメータ値のセットをまだ知らない、ネットワーク
に対して新規である複数のデバイスを包含するために、システム情報は、（サポートされ
ている変調次数のセットのうちの）最低次の変調を用いて、（サポートされているシグナ
ル帯域幅のうちの）最も狭いシグナル帯域幅において送信される。
【０１４５】
ある一連の実施形態では、無線ネットワークとの通信のためのユーザデバイス９００は
、図９に示すように構成できる。（ユーザデバイス９００はまた、上述の特徴、要素及び
実施形態のいずれのサブセットも含んでよい。）ユーザデバイス９００は、回路構成９１
０及びアンテナシステム９１５を含んでよい。
【０１４６】
回路構成９１０は、無線ネットワークのインフラストラクチャラジオから第１の情報を
受信するよう構成されてよく、第１の情報は、２つ以上のパラメータ値のセットのライブ
ラリから第１のパラメータ値のセットを識別する。パラメータ値のセットそれぞれは、１
つ又は複数の通信関連パラメータそれぞれに関する値を含む。第１のパラメータ値のセッ
トは、第１の標的ラジオ動作環境に適している。
【０１４７】
回路構成９１０は、第１のパラメータ値のセットを用いて、インフラストラクチャラジ
オと無線通信するようにユーザデバイスを再構成するよう、構成されてよい。例えば回路
構成９１０は、コントローラ及び波形加工回路構成を含んでよい。コントローラは、送信
される波形を生成する際及び／又は受信した波形をデコードする際に、第１のパラメータ
値のセットのパラメータ値を使用するよう、波形加工回路構成をプログラムしてよい。
【０１４８】
いくつかの実施形態では、２つ以上のパラメータ値のセットのうちの少なくとも１つは
、移動体デバイス（例えばハンドセット、タブレット、車内のラジオ等）と通信するため
に最適化されてよい。例えばこのようなパラメータ値のセットは、固定デバイスに使用さ
れるものより大きな値のサブキャリア間隔を含んでよい。更に、ライブラリ中の２つ以上
のパラメータ値のセットのうちの少なくとも１つは、固定デバイス（例えば家庭内の無線
アクセスラジオ、テレビジョン等）と通信するために最適化されてよい。
【０１４９】
いくつかの実施形態では、ユーザデバイスは移動体デバイスである。他の実施形態では
、ユーザデバイスは固定デバイスである。
【０１５０】
いくつかの実施形態では、ライブラリを定義する２つ以上のパラメータ値のセットは、
１つ又は複数の基準に基づいて、可能性のあるパラメータ値のセットの大域空間から（例
えば構成コントローラによって）選択されている（又は事前に決定されてユーザデバイス
に事前にロードされる）。
【０１５１】
いくつかの実施形態では、ライブラリは、２つ以上のデフォルトのパラメータ値のセッ
ト（例えば、都市部環境における放送に関して最適化されたデフォルトのセット、非都市
部環境における放送に関して最適化されたデフォルトのセット、ＬＴＥ等の別の無線シス
テムとの適合性に関して最適化されたデフォルトのセット、固定通信に関して最適化され
たデフォルトのセット、システム情報を通信するために使用されるデフォルトのセット）
を含む。無線ネットワークのユーザデバイス及び各インフラストラクチャラジオは、上記
デフォルトのパラメータ値のセットをサポートしてよく、即ち上記デフォルトのパラメー
タ値のセットのいずれを用いて、無線通信のために再構成可能であってよい。
【０１５２】
いくつかの実施形態では、第１のパラメータ値のセットは、デフォルトのパラメータ値
のセットのうちの１つではない。
【０１５３】
いくつかの実施形態では、第１の情報は、第１のパラメータ値のセット自体を含む。
【０１５４】
いくつかの実施形態では、ユーザデバイス９００はまた、ライブラリのローカルコピー
を記憶するメモリも含み、上記回路構成は、第１の情報を受信する上記ステップの後に、
ライブラリのローカルコピーに第１のパラメータ値のセットを追加するよう構成される。
【０１５５】
いくつかの実施形態では、インフラストラクチャラジオは、デフォルトのパラメータ値
のセットのうちの１つに基づいて、無線チャネル（例えば放送チャネル又はブロードバン
ドチャネル）を用いて、第１のパラメータ値のセット又は第１のパラメータ値のセットを
識別する第１の情報をユーザデバイスに送信する。
【０１５６】
いくつかの実施形態では、ユーザデバイスはライブラリのローカルコピーを記憶し、第
１の情報は、ライブラリ中の上記２つ以上のパラメータ値のセットのうちの第１のパラメ
ータ値のセットを示すセットポインタを備える。
【０１５７】
いくつかの実施形態では、インフラストラクチャラジオは放送トランスミッタである。
【０１５８】
いくつかの実施形態では、インフラストラクチャラジオは無線ブロードバンドベースス
テーション（例えばＷｉＦｉ、ＬＴＥ、ホワイトスペース等）である。
【０１５９】
いくつかの実施形態では、インフラストラクチャラジオは、無線ブロードバンドベース
ステーション及び放送トランスミッタの組み合わせである。例えばＷｉＦｉ、ＬＴＥ、ホ
ワイトスペース等を放送チャネルと同時に使用してよい。ブロードバンドチャネルは、ベ
ースステーションとユーザデバイスとの間で制御情報を通信するために使用できる。
【０１６０】
いくつかの実施形態では、上記回路構成は更に：インフラストラクチャラジオから第２
の情報を受信するよう（ここで第２の情報は、ライブラリからの第２のパラメータ値のセ
ットを識別し、上記第２のパラメータ値のセットは、第２の標的ラジオ動作環境に適して
いる）；及び第２のパラメータ値のセットを用いて、インフラストラクチャラジオと無線
通信するように、ユーザデバイスを再構成するよう、構成される。
【０１６１】
いくつかの実施形態では、第２の情報は第２のパラメータ値のセット自体を含む。
【０１６２】
いくつかの実施形態では、ユーザデバイスはライブラリのローカルコピーを記憶し、第
２の情報は、ライブラリ中の上記２つ以上のパラメータ値のセットのうちの第２のパラメ
ータ値のセットを示すセットポインタを備える。
【０１６３】
いくつかの実施形態では、上記回路構成は更に：無線ネットワークの別のインフラスト
ラクチャラジオから第２の情報を受信するよう（ここで第２の情報は、ライブラリからの
第２のパラメータ値のセットを識別し、上記第２のパラメータ値のセットは、第２の標的
ラジオ動作環境に適している）；及び第２のパラメータ値のセットを用いて、上記別のイ
ンフラストラクチャラジオと無線通信するように、ユーザデバイスを再構成するよう、構
成される。
【０１６４】
いくつかの実施形態では、第２の情報は第２のパラメータ値のセット自体を含む。
【０１６５】
いくつかの実施形態では、ユーザデバイスはライブラリのローカルコピーを記憶し、第
２の情報は、ライブラリ中の上記２つ以上のパラメータ値のセットのうちの第２のパラメ
ータ値のセットを示すセットポインタを備える。
【０１６６】
いくつかの実施形態では、インフラストラクチャラジオと無線通信するステップの上述
のアクションは、インフラストラクチャラジオが送信する放送シグナルを受信するステッ
プを含む。
【０１６７】
いくつかの実施形態では、インフラストラクチャラジオと無線通信するステップのアク
ションは：インフラストラクチャラジオにアップリンクシグナルを送信するステップ；並
びにインフラストラクチャラジオが送信するユニキャストダウンロードシグナル及び／又
は放送ダウンリンクシグナルを受信するステップを含む。
【０１６８】
いくつかの実施形態では、回路構成９１０は、ＯＦＤＭを用いてインフラストラクチャ
ラジオと無線通信するよう構成される。
【０１６９】
いくつかの実施形態では、システム情報は、インフラストラクチャラジオによる、ユー
ザデータでのシステム情報の時間多重化（即ち同一の通信チャネル上のシステムデータ及
びユーザデータ）によって受信される。システム情報は、第１のパラメータ値のセットと
、場合によっては他の制御情報とを含んでよい。
【０１７０】
いくつかの実施形態では、第１のパラメータ値のセットをまだ知らない、ネットワーク
に対して新規である複数のデバイスを包含するために、システム情報は、（サポートされ
ている変調次数のセットのうちの）最低次の変調を用いて、（サポートされている帯域幅
のうちの）最も狭いシグナル帯域幅において、インフラストラクチャラジオからユーザデ
バイスに送信される。
【０１７１】
本明細書に記載の実施形態のうちのいくつかは、移動体デバイス、例えば携帯電話、タ
ブレットコンピュータ、デジタルメディアプレイヤー、パーソナルデジタルアシスタント
、携帯型テレビジョンレシーバ等において実現できる。
【０１７２】
本明細書に記載の実施形態のうちのいくつかは、ユーザデバイス、例えば移動体デバイ
ス又は非移動体デバイスにおいて実現できる。例えばユーザデバイスは、テレビジョン、
デスクトップコンピュータシステム、ラップトップ、タブレットコンピュータ、携帯電話
、セットトップボックス等であってよい。
【０１７３】
いくつかの実施形態では、上記回路構成は、ＯＦＤＭを用いて少なくとも無線受信を行
うよう構成され、ここで１つ又は複数の通信関連パラメータは、以下の１つ又は複数を含
む：スーパフレームあたりのシンボルの個数；チャネル帯域幅；占有される帯域幅；サン
プリングレート；リソースブロックの個数；サブフレーム持続時間；フレーム持続時間；
スーパフレーム持続時間；シンボル周期あたりのリソースブロックあたりのサブキャリア
の個数；公称サブキャリア間隔；公称リソースブロック帯域幅；ＦＦＴサイズ；サイクリ
ックプレフィックスサイズ又はサイクリックプレフィックスパーセンテージ；標的範囲；
キャリア中心周波数；ユーザ移動性要件；変調方式；コーディングレート；シグナリング
オーバヘッド。
【０１７４】
ある一連の実施形態では、無線ネットワークに関する２つ以上のパラメータ値のセット
のライブラリを設計するための、コンピュータ実装型の方法１０００は、図１０に示す動
作を含んでよい。（方法１０００はまた、上述の特徴、要素及び実施形態のいずれのサブ
セットも含んでよい。）方法１０００は、記憶されているプログラム命令の実行に応答し
てコンピュータシステムによって実行できる。パラメータ値のセットはそれぞれ、１つ又
は複数の通信関連パラメータ（例えばＯＦＤＭ関連通信パラメータ）それぞれに関する値
を含む。
【０１７５】
１０１０では、コンピュータシステムは、１つ又は複数（又は２つ以上）の基準に基づ
いて、可能性のあるパラメータ値のセットの大域空間から、ライブラリを定義する２つ以
上のパラメータ値のセットを選択してよい。１つ又は複数の通信関連パラメータは、以下
の１つ又は複数を含んでよい：スーパフレームあたりのシンボルの個数；チャネル帯域幅
；占有される帯域幅（又は占有されるシグナル）；サンプリングレート；リソースブロッ
クの個数；サブフレーム持続時間；フレーム持続時間；スーパフレーム持続時間；シンボ
ル周期あたりのリソースブロックあたりのサブキャリアの個数；公称サブキャリア間隔；
公称リソースブロック帯域幅；ＦＦＴサイズ；サイクリックプレフィックスサイズ（又は
サイクリックプレフィックスパーセンテージ）；標的範囲；キャリア中心周波数；（例え
ば最大速度又はドップラー偏移に関する）ユーザ移動性要件；変調方式；コーディングレ
ート；シグナリングオーバヘッド。
【０１７６】
１０１５では、コンピュータシステムは、１つ又は複数のインフラストラクチャラジオ
のセットが特定のパラメータ値のセットを用いて始動して、ユーザデバイスと無線通信す
るよう、２つ以上のパラメータ値のセットのうちの特定の１つを１つ又は複数のインフラ
ストラクチャラジオのセットに適用してよい。上記特定のパラメータ値のセットは、オペ
レータによって、上記２つ以上のパラメータ値のセットから選択してよい。
【０１７７】
いくつかの実施形態では、上記１つ又は複数の基準は、スーパフレームあたりのシンボ
ルの個数が整数であるという要件を含む。
【０１７８】
いくつかの実施形態では、上記１つ又は複数の基準は、サブキャリア周波数間隔が、指
定された最大標的ドップラー偏移に基づいて決定された最小値以上であるという要件を含
む。
【０１７９】
いくつかの実施形態では、上記１つ又は複数の基準は、ガード区間が、インフラストラ
クチャラジオ送信の指定された予想最大範囲に基づく最小値以上であるという要件を含む
。
【０１８０】
いくつかの実施形態では、１つ又は複数の通信関連パラメータのうちの１つはＦＦＴサ
イズであり、上記１つ又は複数の基準は、ＦＦＴサイズの実装の容易さを表す基準を含む
。
【０１８１】
いくつかの実施形態では、１つ又は複数の通信関連パラメータのうちの１つはＦＦＴサ
イズであり、ＦＦＴサイズは５m３n２p（ｍ、ｎ、ｐは負ではない整数）の形態である。
【０１８２】
いくつかの実施形態では、１つ又は複数の通信関連パラメータのうちの１つは、サイク
リックプレフィクス（ＣＰ）パーセンテージである。
【０１８３】
いくつかの実施形態では、ＣＰパーセンテージは、指定された実現可能な最大ＣＰパー
センテージまで、昇順で計算される。
【０１８４】
いくつかの実施形態では、方法１０００はまた、オペレータからユーザ入力を受信する
ステップも含み、上記ユーザ入力は、上記１つ又は複数の基準（例えば上記選択するステ
ップを支配する動作目標）を定義する。
【０１８５】
いくつかの実施形態では、方法１０００はまた、上記２つ以上の選択されたパラメータ
値のセットをメモリに記憶するステップも含む。
【０１８６】
本明細書に記載の様々な実施形態のいずれは、例えばコンピュータ実装型の方法として
、コンピュータ可読メモリ媒体として、コンピュータシステムとして等の様々な形態のい
ずれにおいて実現できる。システムは、特定用途向け集積回路（ＡＳＩＣ）等の１つ若し
くは複数の専用設計のハードウェアデバイスによって、フィールドプログラマブルゲート
アレイ（ＦＰＧＡ）等の１つ若しくは複数のプログラマブルハードウェア要素によって、
記憶されているプログラム命令を実行する１つ若しくは複数のプロセッサによって、又は
以上のいずれの組み合わせによって、実現できる。
【０１８７】
いくつかの実施形態では、非一時的コンピュータ可読メモリ媒体は、プログラム命令及
び／又はデータを記憶するよう構成してよく、このプログラム命令は、コンピュータシス
テムによって実行された場合に、上記コンピュータシステムに、例えば本明細書に記載の
方法実施形態のうちのいずれか、又は本明細書に記載の方法実施形態のうちのいずれかの
組み合わせ、又は本明細書に記載の方法実施形態のうちのいずれかのいずれのサブセット
、又はこのようなサブセットのいずれの組み合わせである、方法を実施させる。
【０１８８】
いくつかの実施形態では、コンピュータシステムは、プロセッサ（又はプロセッサのセ
ット）及びメモリ媒体を含むよう構成してよく、メモリ媒体はプログラム命令を記憶し、
ここでプロセッサは、メモリ媒体からプログラム命令を読み出して実行するよう構成され
、プログラム命令は、本明細書に記載の様々な方法実施形態のうちのいずれか（又は本明
細書に記載の方法実施形態のうちのいずれかの組み合わせ、又は本明細書に記載の方法実
施形態のうちのいずれかのいずれのサブセット、又はこのようなサブセットのいずれの組
み合わせ）を実装するために実行可能である。このコンピュータシステムは、様々な形態
のいずれにおいて実現できる。例えばこのコンピュータシステムは、（その様々な実現形
態のいずれにおける）パーソナルコンピュータ、ワークステーション、カード上のコンピ
ュータ、ボックス内の特定用途向けコンピュータ、サーバコンピュータ、クライアントコ
ンピュータ、ハンドヘルドデバイス、移動体デバイス、ウェアラブルコンピュータ、感知
デバイス、テレビジョン、ビデオ取得デバイス、生体埋め込み型コンピュータ等であって
よい。コンピュータシステムは、１つ又は複数のディスプレイデバイスを含んでよい。本
明細書で開示されている様々な計算結果のいずれは、ディスプレイデバイスによって表示
してよく、又はそうでない場合はユーザインタフェースデバイスを介した出力として提示
してよい。
【０１８９】
以上の実施形態に関してかなり詳細に説明してきたが、以上の開示を十分に理解すれば
、当業者には多数の変形及び修正が明らかとなるだろう。以下の請求項は、このような変
形及び修正の全てを包含するよう解釈されることを意図したものである。
【図１Ａ】
2020025294.tif 000012
【図１Ｂ】
2020025294.tif 000013
【図２】
2020025294.tif 000014
【図３】
2020025294.tif 000015
【図４】
2020025294.tif 000016
【図５】
2020025294.tif 000017
【図６】
2020025294.tif 000018
【図７】
2020025294.tif 000019
【図８】
2020025294.tif 000020
【図９】
2020025294.tif 000021
【図１０】
2020025294.tif 000022
【外国語明細書】
2020025294000001.pdf